(57)【要約】【課題】簡単な構成で内蔵する転がりベアリングの耐水性（環境機能）を確保でき、長期使用が可能であり、かつ安価に提供できるガイドローラを提供する。【解決手段】転がりベアリング７を複列に内蔵して外輪部をプラスチックで形成されるガイドローラであって、前記転がりベアリング７が両側から嵌挿される各ベアリング嵌挿孔３，３に隣接する孔縁に、軸方向外向きに突出す先端をエッジにした環状の突条４，４がそれぞれ形成され、使用時に支持軸１０側に設けられた平滑面部分（１２ａ，１５ａ）と前記突条４，４との接触で内蔵する転がりベアリング７，７を保護する構造とした。【選択図】図１
0003176789.tif 000002
【実用新案登録請求の範囲】
【請求項１】
転がりベアリングを複列に内蔵して外輪部をプラスチックで形成されるガイドローラであって、前記転がりベアリングが両側から嵌挿される各ベアリング嵌挿孔に隣接する孔縁には、軸方向外向きに突出す先端をエッジにして環状の突条がそれぞれ形成され、前記転がりベアリングがその嵌挿孔深く嵌挿されていることを特徴とするガイドローラ。
【請求項２】
前記ガイドローラの左右両ベアリング嵌挿孔にそれぞれ嵌合された転がりベアリングの内輪は、スペーサーリングによって相互に当接維持される構造である請求項１に記載のガイドローラ。
【請求項３】
前記ガイドローラは、その一側面に形成される前記環状の突条を、軸心を貫通する支持軸の取付基部に同軸で形成された取付鍔の前面に接触させるとともに、ローラの反対側面に形成される環状の筒状を前記支持軸の先端中心に設けられたねじ孔に基軸部を螺合させて取付けたローラ抜け止め部材の面板部分内側面に接触させ、内蔵する転がりベアリングを防護する構造である請求項１に記載のガイドローラ。
【考案の詳細な説明】
【技術分野】
【０００１】
本考案は、湿潤個所や屋外など雨水や洗浄水などが直接的にあるいは間接的にかかるような環境の良くない箇所での走行部に使用して回転要部を保護する機能を備えた、いわゆる防水型のガイドローラに関するものである。
【背景技術】
【０００２】
従来、例えば自動機器や加工機，事務用機器などの移動体（キャリア）には、ガイドレールに沿い所要の区間を移動させるのにガイドローラが取付けられている。このキャリアに用いられているガイドローラにあっては、動きを円滑化するため、転がりベアリングを内蔵されたものが用いられている。
【０００３】
一般に、この転がりベアリングを内蔵されたガイドローラは、走行時の振動や騒音の発生を防止することも含めて外周部をプラスチックで形成したものが多く使用されている。また、比較的小型のガイドローラ（車輪）としては、全体をプラスチックで成形してその内部に転がりベアリングを組み込んだ構造（主に、インサート成形による）のものが、比較的安価に提供できる利点から多く使用されている。
【０００４】
ガイドローラ（車輪）として前述のようなプラスチック製のものは、外見的に金属製のガイドローラ（車輪）に比べて耐水性が良好と考えられ、水が使用される環境で走行するキャリアのような機械類に用いられている。しかしながら、転がりベアリングが内蔵されるガイドローラでは、この転がりベアリングを完全な耐水性のものとしない限り、腐食が進行して長期間使用できず、動作に不具合が発生した場合新しいものと交換する必要がある。したがって、短期間でガイドローラ全体の交換となり、装置のランニングコストが嵩むという問題点がある。
【０００５】
一方、プラスチック製のガイドローラとして転がりベアリングを内蔵させた小型のものは、いわゆる一体成形されているものが多い。、このようなガイドローラでは内蔵される転がりベアリングに注入された潤滑剤（グリース）が成形時の熱で溶融して外部に漏れ出し、充分な潤滑性能を発揮できない場合が多い。そのため、成形後に潤滑剤の補充を必要とするが、一個ずつ潤滑剤の補充を行うには非常に多くの手数を要するので、確実な潤滑剤の充填が行われない状態で使用に供されているのが実情である。したがって、使用中に潤滑剤が枯渇するとたちまち破損して不具合を呈することになるという問題点がある、特に湿潤な環境での使用において、発錆の原因となることが多く、頻繁な交換を余儀なくするという問題点がある。
【先行技術文献】
【特許文献】
【０００６】
【特許文献１】特開２００３−５６５５０号公報
【特許文献２】特許第４８４０９１５号公報
【考案の概要】
【考案が解決しようとする課題】
【０００７】
本考案では、前述のような問題点を解決するものであって、構造を複雑化することなく、簡単な構成で内蔵する転がりベアリングの耐水性（環境機能）を確保でき、長期使用が可能であり、かつ安価に提供できるガイドローラに関するものである。
【課題を解決するための手段】
【０００８】
前記目的を達成するために、本考案によるガイドローラは、
転がりベアリングを複列に内蔵して外輪部をプラスチックで形成されるガイドローラであって、前記転がりベアリングが両側から嵌挿される各ベアリング嵌挿孔に隣接する孔縁には、軸方向外向きに突出す先端をエッジにして環状の突条がそれぞれ形成され、前記転がりベアリングがその嵌挿孔深く嵌挿されていることを特徴とするものである。
【０００９】
前記考案において、ガイドローラの左右両ベアリング嵌挿孔にそれぞれ嵌合された転がりベアリングの内輪は、スペーサーリングによって相互に当接維持される構造とするのがよい。
【００１０】
また、前記考案における前記ガイドローラは、その一側面に形成される前記環状の突条を、軸心を貫通する支持軸の取付基部に同軸で形成された取付鍔の前面に接触させるとともに、ローラの反対側面に形成される環状の筒状を前記支持軸の先端中心に設けられたねじ孔に基軸部を螺合させて取付けたローラ抜け止め部材の面板部分内側面に接触させ、内蔵する転がりベアリングを防護する構造であるのがよい。
【考案の効果】
【００１１】
本考案のガイドローラによれば、内蔵された転がりベアリングの嵌挿孔の開口する孔縁に沿って、先端をエッジ状にした環状の突条を設けることにより、支持軸によって回転自在に支持された状態で、その支持軸に設けた平面部と前記突条とを接触させることで外部雰囲気からベアリングの内部を遮断することができ、ベアリングの転がり要素部分に水分が侵入するのを防止できる。したがって、転がりベアリング内に充填した潤滑剤の劣化を防ぎ長期使用に耐え得るローラとすることができる。しかも、構造簡単であるからコストアップすることもなく、経済的効果を得られるという利点がある。
【図面の簡単な説明】
【００１２】
【図１】図１は本考案によるガイドローラの一実施形態を表わすもので、（ａ）はキャリアにガイドローラを取付けた一例を示す縦断面図、（ｂ）は外形図、（ｃ）は縦断面図をそれぞれ示す。
【図２】図２は本考案のガイドローラを搬送手段のキャリアに用いた一例で、（ａ）は平面図、（ｂ）は側面図、（ｃ）はＡ−Ａ視の一部を断面にして表した図である。
【図３】図３は旋回輪における案内に使用した態様を表す図であって、（ａ）は平面図、（ｂ）はＢ−Ｂ断面視図、（ｃ）は要部を表す図である。
【考案を実施するための最良の形態】
【００１３】
次に、この考案によるガイドローラの具体的な実施の形態について、図面を参照しつつ説明する。
【００１４】
この考案のガイドローラ１は、図１（ｃ）で示すように、内部に転がりベアリング７が２個並列で内蔵され、ローラ本体２部分がプラスチックで成形されたものである。なお、前記転がりベアリング７（具体的にはボールベアリング）は、ローラ本体２の両外側面からその転がりベアリング７の幅寸法よりも深く形成されたベアリング嵌挿孔３，３に同軸心で嵌挿されている。
【００１５】
また、前記ローラ本体２の両ベアリング嵌挿孔３，３間には、ベアリングの外輪側面が当接する保持面３′を残して双方が連通する開口部が、ちょうどローラ本体２の幅方向に中間位置で形成され、両転がりベアリング７，７が嵌挿された状態で、前記開口部位置にベアリング内輪の側面と接するスペーサーリング８が介在するようにしてベアリングに作用する軸方向の負荷を受け止められるようにされている。
【００１６】
さらに、前記ローラ本体２の両外側面には、ベアリング嵌挿孔３の内周縁に外側へ突き出すようにして先端を尖らせた突条４が環状にそれぞれ形成され、その突条４が支持軸１０側に設けられて対向する平面部（後述）と接触することにより防水・防塵の働きをするものとなる。
【００１７】
このガイドローラ１は、ローラ本体２の外周面（踏面）をこの具体例では断面円弧状のガイド溝５が形成されており、ガイドレールとなる断面円形の部材と当接して案内されるようになっている。この踏面の形状については、図示省略するが凸曲面や平坦面であってもよい。
【００１８】
また、ローラ本体２を形成するプラスチック材としては、ポリアミド樹脂、ポリアセタール樹脂など任意のものが用途に応じて採用できる。
【００１９】
このように構成されるガイドローラ１は、一実施形態として図１（ａ）で示されるような要領で支持軸１０に支持され、キャリア２０の要部に取付けられ使用される。
【００２０】
支持軸１０は、キャリア２０など移動機器の主体に取付ける基軸部１１と、この基軸部１１を取付孔２１に安定支持させるための鍔部１２と、鍔部１２から突き出す軸頸部１３とで形成されている。前記基軸部１１は、端部に止め溝１１ａを設けてキャリア２０の取付孔２１に嵌挿した後、スナップリング１８により固定するように形成されている。ただし、この様式に限定されるものではなく、必要に応じてねじ部を設けてナットで締結するようにしてもよい。図中符号１９は軸の廻り止め用押しねじである。
【００２１】
また、前記支持軸１０の中間部の鍔部１２は、その外径が前記ローラ本体２の側面に設けられた環状の突条４の直径Ｄよりも大きい径に形成されており、取付面と反対側の側面を平滑面１２ａとなるようにしてある。
【００２２】
また、支持軸１０の軸頸部１３は、ガイドローラ１の幅寸法よりも短い長さにされ、ローラ本体２に嵌挿されている転がりベアリング７の内径に合致する直径であり、先端から軸心にねじ孔１４が設けられてローラ抜け止め部材１５が取付けられるようになっている。
【００２３】
前記抜け止め部材１５は、外径が前記ローラ本体２の環状の突条４の直径Ｄより大きい寸法にされた面板１５ａと、この面板１５ａの中心から突き出して前記支持軸１０の軸頸部１３に設けられたねじ孔１４に螺合するねじ軸１５ｂを備え、そのねじ軸１５ｂの基部にローラ本体２内に嵌挿された転がりベアリング７の内輪を押える固定座１５ｃを有している。
【００２４】
前述のガイドローラ１は、内蔵している転がりベアリング７の内輪を前記支持軸１０の軸頸部１３に嵌め合わせて、外側からローラ抜け止め部材１５を支持軸１０の軸頸部１３に装着すると、ローラ本体２の両外側面に設けられた環状の突条４，４が、一方では支持軸鍔部１２の平滑面１２ａに、他方ではローラ抜け止め部材１５の面板１５ａ内側面に、それぞれ接触して回転できる状態となる。
【００２５】
こうすることにより、ガイドローラ１が回転すると、静止状態にある支持軸１０の鍔部平滑面１２ａと、ローラ抜け止め部材１５の面板１５ａ側面とに環状の突条４，４が接触して回転し、外部とガイドローラ１に内蔵される転がりベアリング７の内部とが遮断される。したがって、例えば水が掛かる状態での移動体に取付けられていても、ベアリング内部に水滴が侵入するのを防止することができるので、転がりベアリング７に充填された潤滑剤が漏れ出したり、鹸化して耐久性を損なうことなく長期間の使用に耐えることができるのである。
【００２６】
このような構成のガイドローラ１は、例えば図２に示されるように、二本の円形断面（丸棒）のガイドシャフト３１，３１を平行してホルダー３２により支持配置してなるガイドレール３０に沿って移動する搬送用のキャリア２０（ただし、物品を支持するテーブルまたは機器の搭載された構造については図示省略されている。）に、前述の要領で左右二個ずつ取付けられて、それらガイドローラ１をガイドシャフト３１に当接させて移動自在とする。こうすることで、搬送路を移動するキャリア２０が円滑に走行することができる。
【００２７】
また、他の実施態様として、図３に示されるように、ターンテーブル４０の回転輪４３を案内支持するような装置に使用することもできる。
【００２８】
この実施形態のターンテーブル４０では、ベースプレート４１上に三等分（これに限定されないで、直径の大きい場合にはさらに多数の配置であってもよい。）してガイドローラ１が水平回転可能に配置されている。ここに配置されるガイドローラ１は、前述のように支持軸１０の軸頸部１３上で回転自在に支持されており、支持軸１０はその基部をベースプレート４１上に設けられたボス４２に嵌挿支持される。なお、配置されるガイドローラ１は、ローラ本体２の周面に前述のような凹曲面のガイド溝付きのものである。
【００２９】
このターンテーブル４０では、こうして配置される複数のガイドローラ１に対して所要内径寸法の回転輪４３を、その内周面の中間部で内向きに膨出して形成されているレール部分４４に前記ガイドローラ１のガイド溝部５を係合当接させ、それら複数個所でのガイドローラ１によって回転自在に支持してなるものである。
【００３０】
前述のようにして搬送路での移動体（キャリア）のガイドローラ、あるいはターンテーブルにおける案内支持ローラとして使用すれば、その使用箇所における環境（雰囲気）が湿潤状態であっても、あるいは粉じんの多い場所であっても、ローラ本体に組み込まれている転がりベアリングを両側面で保護される構造であるから、その転がりベアリングの潤滑性が損なわれることなく、長期使用に耐えることができるのである。
【符号の説明】
【００３１】
１        ガイドローラ
２        ローラ本体
３        ベアリング嵌挿孔
４        突条
５        ガイド溝
７        転がりベアリング
８        スペーサーリング
１０      支持軸
１２      支持軸の鍔部
１２ａ    鍔部の平滑面
１３      軸頸部
１５      ローラ抜け止め部材
１５ａ    面板
２０      キャリア
【図１】
0003176789.tif 000003
【図２】
0003176789.tif 000004
【図３】
0003176789.tif 000005